(57)【要約】【課題】  梱包材、梱包構造体全体の小型化および薄型化を実現し、梱包費用や輸送費用等の低減を図る。【解決手段】  電子機器５を収納するキャリングケース６と、キャリングケース６を収納する梱包箱７と、梱包箱７内に設けられてキャリングケース６を保持し、外部からの衝撃を緩衝するための第１の緩衝部１６を有する梱包材８とを備える。そして、キャリングケース６内には、梱包材８の第１の緩衝部１６に対応する位置に、第１の緩衝部１６と協働して衝撃を緩衝するための第２の緩衝部１７が形成された緩衝材１１が設けられる。【選択図】  図２
2005119716.tif 000002
【特許請求の範囲】
【請求項１】
被梱包物を収納する収納ケースと、
前記収納ケースを収納する梱包箱と、
前記梱包箱内に設けられて前記収納ケースを保持し、外部からの衝撃を緩衝するための第１の緩衝部を有する梱包材とを備え、
前記収納ケース内には、前記梱包材の前記第１の緩衝部に対応する位置に、前記第１の緩衝部と協働して前記衝撃を緩衝するための第２の緩衝部が形成された緩衝材が設けられていることを特徴とする梱包構造体。
【請求項２】
前記収納ケースは、キャリングケースである請求項１に記載の梱包構造体。
【請求項３】
前記梱包材には、前記梱包箱の内面に当接する位置に、前記第１の緩衝部が形成されている請求項１または２に記載の梱包構造体。
【請求項４】
前記第１の緩衝部が前記梱包箱の底面に位置して設けられ、前記第２の緩衝部が前記収納ケースの底面に位置して設けられ、前記第１および第２の緩衝部によって鉛直方向に対して緩衝される請求項１ないし３のいずれか１項に記載の梱包構造体。
【請求項５】
前記第１の緩衝部が前記梱包箱の側面に位置して設けられ、前記第２の緩衝部が前記収納ケースの側面に位置して設けられ、前記第１および第２の緩衝部によって水平方向に対して緩衝される請求項１ないし４のいずれか１項に記載の梱包構造体。
【請求項６】
前記被梱包物は、電子機器である請求項１ないし５のいずれか１項に記載の梱包構造体。
【請求項７】
請求項１ないし６のいずれか１項に記載の梱包構造体を用いて、被梱包物を梱包する工程を有する梱包方法。
【発明の詳細な説明】
【技術分野】
【０００１】
本発明は、例えば電子機器等の被梱包物を梱包するための梱包構造体および梱包方法に関する。
【背景技術】
【０００２】
従来、例えば電子機器等の被梱包物は、製造後の出荷時に、梱包箱内に、電子機器と付属品がそれぞれ収納された梱包構造が採られている。
【０００３】
この種の従来の梱包構造体としては、梱包箱内に電子機器と付属品をそれぞれ収納した際に、付属品の重みによる電子機器の外筐の変形を防止することができる、付属品を有する製品の梱包構造が開示されている（例えば特許文献１参照。）。
【０００４】
そして、例えばプロジェクタ等の電子機器には、付属品として、携帯時に電子機器を搬送するためのキャリングケースを備えているものがある。このようなキャリングケースを備える電子機器は、製造後に、キャリングケース内に電子機器が収納され、このキャリングケースが梱包箱内に収納されて梱包された梱包構造体として出荷されている。
【０００５】
例えば図５に示すように、従来の梱包構造体１０１は、電子機器１０５と、この電子機器１０５を収納するキャリングケース１０６と、このキャリングケース１０６を収納する梱包箱１０７と、この梱包箱１０７内に設けられてキャリングケース１０６を保持する一組の梱包材１０８とを備えている。
【０００６】
梱包箱１０７は、例えば段ボールによって直方体状に形成されている。梱包材１０８は、例えば発泡スチロール等の合成樹脂材や再生紙等によって形成されており、キャリングケース１０６の側面側をそれぞれ保持するための保持凹部１１５を有している。各梱包材１０８は、梱包箱１０７内の水平方向に所定の間隔をあけて配置されて、保持凹部１１５によってキャリングケース１０６の両側面をそれぞれ保持している。
【０００７】
そして、梱包材１０８には、梱包箱１０７の底面側および天面側の内面に当接する位置に、外部からの衝撃を緩衝するための緩衝部１１６が、外方に向かって突出されてそれぞれ形成されている。
【０００８】
以上のように構成された従来の梱包構造体１０１は、外部から衝撃が負荷された際、梱包材１０８の緩衝部１１６が変形することで、キャリングケース１０６内に収納された電子機器１０５の破損が防止されている。
【特許文献１】特開２００２−３２６６６８号公報（図３）
【発明の開示】
【発明が解決しようとする課題】
【０００９】
ところで、上述した従来の梱包構造体は、主に、梱包材の変形のみによって、衝撃が緩衝されており、キャリングケース内の電子機器を保護するための梱包材の厚さや外形寸法が比較的大きいため、梱包構造体全体の外形寸法の大型化を招き、梱包材等に要する材料費等がかさむという不都合があった。
【００１０】
また、従来の梱包構造体では、構造体全体がかさばるため、出荷時の輸送費用や、保管費用等もかさむという問題があった。
【００１１】
そこで、本発明は、梱包材、梱包構造体全体の小型化および薄型化を図り、梱包費用や輸送費用等を低減することができる梱包構造体および梱包方法を提供することを目的とする。
【課題を解決するための手段】
【００１２】
上述した目的を達成するため、本発明に係る梱包構造体は、被梱包物を収納する収納ケースと、この収納ケースを収納する梱包箱と、この梱包箱内に設けられて収納ケースを保持し、外部からの衝撃を緩衝するための第１の緩衝部を有する梱包材とを備える。そして、収納ケース内には、梱包材の第１の緩衝部に対応する位置に、第１の緩衝部と協働して衝撃を緩衝するための第２の緩衝部が形成された緩衝材が設けられる。
【００１３】
以上のように構成した本発明に係る梱包構造体によれば、外力が負荷された際に、第１の緩衝部および第２の緩衝部がそれぞれ一体的に変形されて、梱包材の第１の緩衝部と、緩衝材の第２の緩衝部とが協働して、緩衝作用を発揮するため、従来の梱包材のみによる緩衝作用と同等に確保する場合には、梱包材の大きさを小さくすることが可能になる。したがって、この梱包構造体によれば、梱包材が小型化されることで梱包費用が低減されるとともに、梱包構造体全体の小型化に伴って、輸送費用や保管費用が低減される。
【００１４】
また、本発明に係る梱包方法は、上述した本発明に係る梱包構造体を用いて、被梱包物を梱包する工程を有する。
【００１５】
なお、本発明におけるキャリングケースとは、携帯用の収納ケースを指している。
【発明の効果】
【００１６】
上述したように本発明に係る梱包構造体によれば、梱包材を小さくすることが可能になるため、梱包材、梱包構造体全体の小型化、薄型化を図ることができる。
【００１７】
また、本発明に係る梱包方法によれば、梱包費用の低減が図られるとともに、出荷時の輸送費用や保管費用を低減することができる。
【発明を実施するための最良の形態】
【００１８】
以下、本発明の具体的な実施形態について、図面を参照して説明する。
【００１９】
本実施形態に係る梱包構造体は、被梱包物として例えばプロジェクタやビデオカメラ等の電子機器を梱包するために適用されるが、他の被梱包物に用いられて好適であることは勿論である。
【００２０】
図１および図２に示すように、梱包構造体１は、電子機器５と、この電子機器５を収納するキャリングケース６と、このキャリングケース６を収納する梱包箱７と、この梱包箱７内に設けられてキャリングケース６を保持する一組の梱包材８とを備えている。
【００２１】
図３および図４に示すように、キャリングケース６は、電子機器５を収納する収納部９が設けられたケース本体６ａと、このケース本体６ａに対して開閉可能に設けられた蓋体６ｂとを有している。
【００２２】
ケース本体６ａおよび蓋体６ｂは、緩衝材１１によって形成されており、この緩衝材１１が、外装部材１２および内装部材１３によって覆われている。緩衝材１１としては、緩衝性を有する例えばスポンジやゴム材等の弾性材料が用いられている。外装部材１２および内装部材１３は、例えば、プラスチック等の樹脂材料によって形成されている。
【００２３】
また、キャリングケース６のケース本体６ａには、一側面に、携帯時等に把持するための取っ手部１４が設けられている。そして、このキャリングケース６は、梱包構造体１の梱包を解いた後、電子機器５を携帯する際等に使用される。
【００２４】
梱包箱７は、例えば段ボールによって直方体状に形成されている。
【００２５】
梱包材８は、緩衝性を有する例えば、発泡スチロール等の合成樹脂材や再生紙等によって略断面コ字状に形成されており、図１および図２に示すように、キャリングケース６の側面側をそれぞれ保持するための保持凹部１５を有している。各梱包材８は、梱包箱７内の水平方向に所定の間隔をあけて配置されて、保持凹部１５によってキャリングケース６の両側面をそれぞれ保持している。
【００２６】
梱包材８には、梱包箱７の底面側および天面側の内面に当接する位置に、外部からの衝撃を緩衝するための第１の緩衝部１６が、外方に向かって突出されてそれぞれ形成されている。
【００２７】
また、上述のキャリングケース６の収納部９内には、底面側の第１の緩衝部１６に対応して隣接する位置に、緩衝材１１からなる第２の緩衝部１７が、内方に向かって突出されて形成されている。
【００２８】
以上のように構成された梱包構造体１について、底面側から衝撃が負荷されたときの状態を説明する。
【００２９】
まず、梱包構造体１は、例えば電子機器５の製造後に、キャリングケース６内に電子機器５や電源コード等の他の付属品（不図示）がそれぞれ収納され、このキャリングケース６が梱包材８を介して梱包箱７内に収納された梱包状態で出荷されて搬送される。
【００３０】
搬送時に、梱包構造体１は、例えば梱包箱７の底面側から誤って落下させた際等に、外部からの衝撃が、梱包材８の第１の緩衝部１６に作用して、第１の緩衝部が変形される。
【００３１】
そして、梱包構造体１では、第１の緩衝部１６の変形に伴って、主に鉛直方向に作用する衝撃が、第１の緩衝部１６に隣接されている第２の緩衝部１７に伝達されるため、第２の緩衝部１７が弾性変形されて、これら第１および第２の緩衝部１６，１７の変形によって衝撃が吸収される。すなわち、この梱包構造体１では、第１および第２の緩衝部１６，１７が、一体的に変形され、協働して緩衝作用をそれぞれ発揮することで、外部からの衝撃が良好に緩衝される。
【００３２】
したがって、本実施形態の梱包構造体１は、従来の梱包構造体と同等の緩衝性を確保する場合、図５に示した従来の梱包構造体１０１が備える梱包材１０８の、緩衝部１１６の突出量に比較して、第１の緩衝部１６の突出量を小さくすることが可能になる。
【００３３】
上述したように、本実施形態の梱包構造体１によれば、梱包材８の第１の緩衝部１６に対応する位置に第２の緩衝部１７が設けられたキャリングケース６を備えることによって、鉛直方向に作用する衝撃に対する緩衝性を向上することができる。
【００３４】
すなわち、本実施形態の梱包構造体１によれば、従来の梱包構造体と同等の緩衝性を確保する場合、従来の梱包構造体に比較して、鉛直方向に対する、梱包材８の厚さおよび梱包構造体１全体の厚さを小さくすることが可能になるため、梱包材８および梱包構造体１全体の小型化および薄型化を図ることができる。
【００３５】
したがって、この梱包構造体１によれば、梱包材の材料費が削減されることで梱包費用の低減が図られるとともに、梱包構造体１全体の小型化に伴って出荷時の輸送費用や保管費用を低減することができる。
【００３６】
なお、上述の本実施形態の梱包構造体１では、緩衝作用を協働する各第１および第２の緩衝部１６，１７が、梱包箱７の底面側に位置して設けられたが、必要に応じて、例えば、梱包箱の相対する両側面にそれぞれ設けられる構成や、天面および底面にそれぞれ設けられる構成や、底面および側面に組み合わされて設けられる構成が採られてもよい。協働する第１および第２の緩衝部が両側面に設けられる構成の場合には、水平方向に対する、梱包材の厚さおよび梱包構造体全体の厚さを小さくすることができる。
【００３７】
また、本実施形態では、電子機器を収納する収納ケースとして、キャリングケースが採用されたが、例えば、電子機器を気密に保存するための保存ケース等の他の収納ケースが適用されてもよい。
【図面の簡単な説明】
【００３８】
【図１】本発明に係る梱包構造体を示す平面図である。
【図２】前記梱包構造体を示す断面図である。
【図３】キャリングケースを示す斜視図である。
【図４】前記キャリングケースを示す断面図である。
【図５】従来の梱包構造体を示す断面図である。
【符号の説明】
【００３９】
１  梱包構造体
５  電子機器
６  キャリングケース
６ａ  ケース本体
６ｂ  蓋体
７  梱包箱
８  梱包材
９  収納部
１１  緩衝材
１２  外装材
１３  内装材
１４  取っ手
１５  保持凹部
１６  第１の緩衝部
１７  第２の緩衝部
【図１】
2005119716.tif 000003
【図２】
2005119716.tif 000004
【図３】
2005119716.tif 000005
【図４】
2005119716.tif 000006
【図５】
2005119716.tif 000007